(57)【要約】【課題】袋に充填した粉粒体が部分シール部の通気孔を通して飛び出してしまうことがなく、袋の形を整えやすい熱溶着性合成樹脂袋への粉粒体充填封緘方法を提供すること。【解決手段】熱溶着性合成樹脂製の筒体の一方の口部２ａを熱溶着により一線熱シール３を施して封止する。袋内に粉粒体を充填する。粉粒体を充填した後の袋の他方の口部２ｂ内側に、他方の口部２ｂに沿って表裏面が接着されてなるシール部４と表裏面が接着されていない通気孔部５とが交互に配列されてなる部分シール部６を熱溶着により形成する。部分シール部６の通気孔部５を通じて袋内に残存している空気を袋外に抜く。空気抜きを行った後の袋の他方の口部２ｂと部分シール部６との間に、部分シール部６に沿って、熱溶着により一線熱シール７を施し、袋の他方の口部２ｂを封止する。【選択図】図１
2008179399.tif 000002
【特許請求の範囲】
【請求項１】
次のア〜オの手順によることを特徴とする熱溶着性合成樹脂袋への粉粒体充填封緘方法。
ア．熱溶着性合成樹脂製の筒体の一方の口部に沿って熱溶着により一線熱シールを施し、袋の一方の口部を封止する。
イ．前記袋内に粉粒体を充填する。
ウ．粉粒体を充填した後の袋の他方の口部内側に、前記他方の口部に沿って表裏面が接着されてなるシール部と表裏面が接着されていない通気孔部とが交互に配列されてなる部分シール部を熱溶着により形成する。
エ．前記部分シール部の通気孔部を通じて袋内に残存している空気を袋外に抜く。
オ．空気抜きを行った後の袋の前記他方の口部と前記部分シール部との間に、前記部分シール部に沿って、熱溶着により一線熱シールを施し、前記袋の他方の口部を封止する。
【発明の詳細な説明】
【技術分野】
【０００１】
本発明は、熱溶着性合成樹脂袋への粉粒体充填封緘方法に関する。
【背景技術】
【０００２】
化学製粉工場で使用される自動袋詰機では、粉粒体を小口径のパイプより落下させて合成樹脂製の袋内に収容している。このような袋は、軟質合成樹脂製筒体の一方の開口端部内側に内方に口広の漏斗状排気口と表裏両面を接着したシール部とを所要の間隔で交互に直線状に形成した合成樹脂製袋（特許文献１参照）や、合成樹脂製フィルムにより形成する穀粒包装体の折曲４周辺のうち少なくとも１辺において、その１辺における両端側を残して中間部を長く全面にわたりシールし、その全面シール部の長さより短い長さの両端側部分を穀粒が脱出しないような通気孔部を有するシール部に形成した穀粒包装体（特許文献２）が公知である。
【０００３】
また、袋の本体の各壁の間に中断入りの合わせ目を設けて袋の小部分を分離させ、袋の内部から該合わせ目をとおして該小部分に通じる少なくとも一つの通気路を形成させた斯かる第１の合わせ目と、第１の合わせ目から外方に出た所に設けた第２の合わせ目とから構成され、該第１ならびに第２の合わせ目の間の所から大気に通じる少なくとも一つの連絡通路を設けた通気路つきの袋において、第１の合わせ目を、袋の一隅を横切り、袋の一端の合わせ目ならびに袋の一側の重ね合わせ部と交差する対角線通路の次位の所に設けた通路つき袋が公知である（特許文献３）。
【０００４】
【特許文献１】実公昭４３−２０５３４号公報
【特許文献２】実開昭５１−２２９８１号公報
【特許文献３】特公昭４１−１２４７０号公報
【発明の開示】
【発明が解決しようとする課題】
【０００５】
上述したような合成樹脂製の袋に粉粒体を落下させて充填する場合、粉粒体と一緒にごみ等の不純物が袋内に混入しやすいため、排気口と表裏両面を接着したシール部とを所要の間隔で交互に直線状に形成した部分シール部を袋の口部に沿って熱溶着により施している。しかしながら、袋に粉粒体を充填した後に、袋内に空気が残存したまま袋を取り扱うと、袋が嵩張ってしまって取り扱い難いばかりか、部分シール部の通気孔を通して袋内から粉粒体が飛び出してしまったり、また稀に部分シール部の通気孔を通して外部のごみが袋内に混入してしまう虞がある。このため、袋に粉粒体を充填した後は、袋内に残存している空気を部分シール部の通気孔を通じて抜く必要があり、空気を抜いた後、袋の口を完全に密閉する必要がある。
【０００６】
本発明の目的は、袋に充填した粉粒体が部分シール部の通気孔を通して袋内から飛び出してしまうことがなく、また、外部のごみが袋内に混入してしまうことがなく、袋の形を整えやすく取り扱いを楽にすることができる熱溶着性合成樹脂袋への粉粒体充填封緘方法を提供することにある。
【課題を解決するための手段】
【０００７】
請求項１に係る熱溶着性合成樹脂袋への粉粒体充填封緘方法は、上記課題を解決するために、次のア〜オの手順によることを特徴とする。
ア．熱溶着性合成樹脂製の筒体の一方の口部に沿って熱溶着により一線熱シールを施し、袋の一方の口部を封止する。
イ．前記袋内に粉粒体を充填する。
ウ．粉粒体を充填した後の袋の他方の口部内側に、前記他方の口部に沿って表裏面が接着されてなるシール部と表裏面が接着されていない通気孔部とが交互に配列されてなる部分シール部を熱溶着により形成する。
エ．前記部分シール部の通気孔部を通じて袋内に残存している空気を袋外に抜く。
オ．空気抜きを行った後の袋の前記他方の口部と前記部分シール部との間に、前記部分シール部に沿って、熱溶着により一線熱シールを施し、前記袋の他方の口部を封止する。
【発明の効果】
【０００８】
請求項１に係る熱溶着性合成樹脂袋への粉粒体充填封緘方法によれば、粉粒体を充填した後の袋内に残存している空気を部分シール部の通気孔を通じて袋外に抜き、空気を抜いた後の袋の他方の口部と部分シール部との間に、部分シール部に沿って熱溶着により一線熱シールを施し、袋の他方の口部を封止するので、袋に充填した粉粒体が部分シール部の通気孔を通して袋内から飛び出してしまうことがなく、また、外部のごみが袋内に混入してしまうことがなく、袋の形を整えやすく取り扱いを楽にすることができる。
【発明を実施するための最良の形態】
【０００９】
以下、本発明の実施の形態を図面を参照して説明する。図１は、本発明の熱溶着性合成樹脂袋への粉粒体充填封緘方法による手順を示す図である。図２は、本発明の熱溶着性合成樹脂袋への粉粒体充填封緘方法によって粉粒体を充填した熱溶着性合成樹脂袋１を示す平面図である。
【００１０】
図１（ａ）は、袋２に形成する前段階としての熱溶着性合成樹脂製の筒体、例えば、薄膜状のポリエチレン製の筒体を示している。筒体２′は、上下の端部にそれぞれ口部２ａ，２ｂを有する。本発明の熱溶着性合成樹脂袋への粉粒体充填封緘方法は、次のア〜オの手順によることを特徴とするものである。
【００１１】
ア．熱溶着性合成樹脂製の筒体２′の一方の口部２ａに沿って熱溶着により一線熱シール３を施し、袋２の一方の口部２ａを封止する［図１（ｂ）参照］。  
イ．一方の口部２ａを封止した前記袋２内に他方の口部２ｂより粉粒体（図示せず）を入れて充填する［図１（ｃ）参照］。  
ウ．粉粒体を充填した後の袋２の他方の口部２ｂ内側に、他方の口部２ｂに沿って表裏面が接着されてなるシール部４と表裏面が接着されていない通気孔部５とが交互に配列されてなる部分シール部６を熱溶着により形成する［図１（ｄ）参照］。  
エ．部分シール部６の通気孔部５を通じて袋２内に残存している空気を袋外に抜く。
オ．空気抜きを行った後の袋２の他方の口部２ｂと部分シール部６との間に、部分シール部６に沿って、熱溶着により一線熱シール７を施し、袋２の他方の口部２ｂを封止する［図１（ｅ）参照］。
【００１２】
本発明の熱溶着性合成樹脂袋への粉粒体充填封緘方法によれば、粉粒体を充填した後の袋内に残存している空気を部分シール部６の通気孔部５を通じて袋２外に抜き、空気を抜いた後の袋２の他方の口部２ｂと部分シール部６との間に、部分シール部６に沿って熱溶着により一線熱シール７を施し、袋の他方の口部２ｂを封止するので、袋２の口部２ｂが完全に密閉されるから、袋２に充填した粉粒体が部分シール部６の通気孔部５を通して袋２内から飛び出してしまうことがない。また、外部のごみが袋２内に混入してしまうことも防止することができる。また、袋２内に残存している空気を袋外に抜くため、空気抜きを行った後の袋２は、嵩張ってしまうことがなく、袋２の形を整えやすく取り扱いを楽にすることができる。
【図面の簡単な説明】
【００１３】
【図１】本発明の熱溶着性合成樹脂袋への粉粒体充填封緘方法による手順を示す図である。
【図２】本発明の熱溶着性合成樹脂袋への粉粒体充填封緘方法によって粉粒体を充填した袋を示す平面図である。
【符号の説明】
【００１４】
１  熱溶着性合成樹脂袋
２  袋
２′  筒体
３  一線熱シール
４  シール部
５  通気孔部
６  部分シール部
７  一線熱シール
【図１】
2008179399.tif 000003
【図２】
2008179399.tif 000004